(57)【要約】  本願は無線通信技術に関するものであり、アップリンク制御チャネル伝送方法、及び端末と基地局を開示し、アップリンクスケジューリング要求の伝送遅延が遅延に敏感なサービスの需要を満足できない可能性があるという課題を解決する。本発明において、端末はアップリンクスケジューリング要求を送信する周期及び物理リソースを決定し、端末はターゲットアップリンク制御チャネルを使用して他のアップリンク制御情報を伝送することを決定し、端末は周期とターゲットアップリンク制御チャネルの伝送時間長さとの関係に基づいて、アップリンクスケジューリング要求と他のアップリンク制御情報との多重伝送の方式を決定する。
2021510239.tif 000002
【特許請求の範囲】
【請求項１】
アップリンク制御チャネル伝送方法であって、
端末がアップリンクスケジューリング要求を送信する周期及び物理リソースを決定することと、
前記端末がターゲットアップリンク制御チャネルを使用して他のアップリンク制御情報を伝送することを決定することと、
前記端末が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項２】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第一約束関係を満たすと判定することと、
前記端末が、前記アップリンクスケジューリング要求と前記他のアップリンク制御情報を前記ターゲットアップリンク制御チャネルを通して多重伝送することを決定することと、を含むことを特徴とする請求項１に記載のアップリンク制御チャネル伝送方法。
【請求項３】
前記端末が、前記アップリンクスケジューリング要求と前記他のアップリンク制御情報を前記ターゲットアップリンク制御チャネルを通して多重伝送することを決定することは、
前記アップリンクスケジューリング要求と前記他のアップリンク制御情報を処理した後、前記ターゲットアップリンク制御チャネルにマッピングして伝送し、前記処理は、
カスケード、
合同符号化、
インタリーブ、
変調のうちの少なくとも１つを含むことを含むことを特徴とする請求項２に記載のアップリンク制御チャネル伝送方法。
【請求項４】
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項２に記載のアップリンク制御チャネル伝送方法。
【請求項５】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第二約束関係を満たすと判定することと、
前記端末が、前記ターゲットアップリンク制御チャネルにおける第１タイプの時間シンボルを使用して前記他のアップリンク制御情報を伝送することを決定することと、を含むことを特徴とする請求項１〜４のいずれか１項に記載のアップリンク制御チャネル伝送方法。
【請求項６】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであることを特徴とする請求項５に記載のアップリンク制御チャネル伝送方法。
【請求項７】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項５に記載のアップリンク制御チャネル伝送方法。
【請求項８】
前記端末は、前記ターゲットアップリンク制御チャネルの所在する周波数領域リソース内の第２タイプの時間シンボルにおいて前記アップリンクスケジューリング要求を伝送し、前記第２タイプの時間シンボルは前記物理リソースの占有する時間シンボルと同じであることを特徴とする請求項５に記載のアップリンク制御チャネル伝送方法。
【請求項９】
前記第１タイプの時間領域シンボルは、前記ターゲットアップリンク制御チャネルにおける全ての時間領域シンボルのうちの、前記第２タイプの時間シンボル以外の時間領域シンボルであることを特徴とする請求項８に記載のアップリンク制御チャネル伝送方法。
【請求項１０】
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項８に記載のアップリンク制御チャネル伝送方法。
【請求項１１】
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項５に記載のアップリンク制御チャネル伝送方法。
【請求項１２】
前記他のアップリンク制御情報は、前記第１タイプの時間シンボルの数量に基づいて数量のマッチングをした後、前記第１タイプの時間シンボルにマッピングして伝送し、または、
前記他のアップリンク制御情報は、パンチ方式を通して前記第１タイプの時間シンボルにマッピングして伝送することを特徴とする請求項５に記載のアップリンク制御チャネル伝送方法。
【請求項１３】
アップリンク制御チャネル伝送方法であって、
基地局がアップリンクスケジューリング要求を受信する周期及び物理リソースを決定することと、
前記基地局がターゲットアップリンク制御チャネルを使用して他のアップリンク制御情報を受信することを決定することと、
前記基地局が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項１４】
前記基地局が前記周期と前記ターゲットアップリンク制御チャネルの伝送時間長さとの関係に基づいて、前記アップリンクスケジューリング要求と前記他のアップリンク制御情報との多重伝送の方式を決定することは、
前記基地局が、前記周期と前記ターゲットアップリンク制御チャネルの伝送時間長さとの間が第一約束関係を満たすと判定することと、
前記基地局が、前記アップリンクスケジューリング要求と前記他のアップリンク制御情報を前記ターゲットアップリンク制御チャネルを通して多重伝送することを決定することと、を含むことを特徴とする請求項１３に記載のアップリンク制御チャネル伝送方法。
【請求項１５】
前記基地局が、前記アップリンクスケジューリング要求と前記他のアップリンク制御情報を前記ターゲットアップリンク制御チャネルを通して多重伝送することを決定することは、
前記ターゲットアップリンク制御チャネルから受信した信号に対して処理を行い、前記処理は、
カスケードの解除、合同復号、デインタリーブ、復調のうちの１つまたはその任意の組み合わせを含むことを含むことを特徴とする請求項１４に記載のアップリンク制御チャネル伝送方法。
【請求項１６】
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項１４に記載のアップリンク制御チャネル伝送方法。
【請求項１７】
前記基地局が前記周期と前記ターゲットアップリンク制御チャネルの伝送時間長さとの関係に基づいて、前記アップリンクスケジューリング要求と前記他のアップリンク制御情報との多重伝送の方式を決定することは、
前記基地局が、前記周期と前記ターゲットアップリンク制御チャネルの伝送時間長さとの間が第二約束関係を満たすと判定することと、
前記基地局が、ターゲットアップリンク制御チャネルにおける第１タイプの時間シンボルを使用して前記他のアップリンク制御情報を受信することを決定することと、を含むことを特徴とする請求項１３〜１６のいずれか１項に記載のアップリンク制御チャネル伝送方法。
【請求項１８】
前記基地局は前記物理リソースにおいてアップリンクスケジューリング要求を受信し、
前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであることを特徴とする請求項１７に記載のアップリンク制御チャネル伝送方法。
【請求項１９】
前記基地局は前記物理リソースにおいてアップリンクスケジューリング要求を受信し、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項１７に記載のアップリンク制御チャネル伝送方法。
【請求項２０】
前記基地局は、前記ターゲットアップリンク制御チャネルの所在する周波数領域リソース内の第２タイプの時間シンボルにおいて前記アップリンクスケジューリング要求を受信し、前記第２タイプの時間シンボルは前記物理リソースの占有する時間シンボルと同じであることを特徴とする請求項１７に記載のアップリンク制御チャネル伝送方法。
【請求項２１】
前記第１タイプの時間領域シンボルは、前記ターゲットアップリンク制御チャネルにおける全ての時間領域シンボルのうちの、前記第２タイプの時間シンボル以外の時間領域シンボルであり、または、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項１８に記載のアップリンク制御チャネル伝送方法。
【請求項２２】
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項１７に記載のアップリンク制御チャネル伝送方法。
【請求項２３】
前記他のアップリンク制御情報は、前記第１タイプの時間シンボルの数量に基づいて数量のマッチングをした後、前記第１タイプの時間シンボルにマッピングして伝送し、または、
前記他のアップリンク制御情報は、パンチ方式を通して前記第１タイプの時間シンボルにマッピングして伝送することを特徴とする請求項１７に記載のアップリンク制御チャネル伝送方法。
【請求項２４】
端末であって、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
前記周期と前記ターゲットアップリンク制御チャネルの伝送時間長さとの関係に基づいて、前記アップリンクスケジューリング要求と前記他のアップリンク制御情報との多重伝送の方式を決定することに用いられる第３モジュールと、を含むことを特徴とする端末。
【請求項２５】
前記第３モジュールは、
前記周期と前記ターゲットアップリンク制御チャネルの伝送時間長さとの間が第一約束関係を満たすと判定することに用いられる第１サブモジュールと、
前記アップリンクスケジューリング要求と前記他のアップリンク制御情報を前記ターゲットアップリンク制御チャネルを通して多重伝送することを決定することに用いられる第２サブモジュールと、を含み、
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項２４に記載の端末。
【請求項２６】
前記第３モジュールは、
前記周期と前記ターゲットアップリンク制御チャネルの伝送時間長さとの間が第二約束関係を満たすと判定することに用いられる第３サブモジュールと、
前記ターゲットアップリンク制御チャネルにおける第１タイプの時間シンボルを使用して前記他のアップリンク制御情報を伝送することを決定することに用いられる第４サブモジュールと、を含み、
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項２４に記載の端末。
【請求項２７】
前記端末は前記物理リソースにおいてアップリンクスケジューリング要求を伝送し、前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであり、または、
前記端末は前記物理リソースにおいてアップリンクスケジューリング要求を伝送し、前記第１タイプの時間領域シンボルは、前記ターゲットアップリンク制御チャネルにおける全ての時間領域シンボルのうちの、前記物理リソースと重なる時間領域シンボル以外の時間領域シンボルであり、または、
前記端末は、前記ターゲットアップリンク制御チャネルの所在する周波数領域リソース内の第２タイプの時間シンボルにおいて前記アップリンクスケジューリング要求を伝送し、前記第２タイプの時間シンボルは前記物理リソースの占有する時間シンボルと同じであることを特徴とする請求項２６に記載の端末。
【請求項２８】
基地局であって、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
前記周期と前記ターゲットアップリンク制御チャネルの伝送時間長さとの関係に基づいて、前記アップリンクスケジューリング要求と前記他のアップリンク制御情報との多重伝送の方式を決定することに用いられる第６モジュールと、を含むことを特徴とする基地局。
【請求項２９】
前記第６モジュールは、
前記周期と前記ターゲットアップリンク制御チャネルの伝送時間長さとの間が第一約束関係を満たすと判定することに用いられる第５サブモジュールと、
前記アップリンクスケジューリング要求と前記他のアップリンク制御情報を前記ターゲットアップリンク制御チャネルを通して多重伝送することを決定することに用いられる第６サブモジュールと、を含み、
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項２８に記載の基地局。
【請求項３０】
前記第６モジュールは、
前記周期と前記ターゲットアップリンク制御チャネルの伝送時間長さとの間が第二約束関係を満たすと判定することに用いられる第７サブモジュールと、
前記ターゲットアップリンク制御チャネルにおける第１タイプの時間シンボルを使用して前記他のアップリンク制御情報を受信することを決定することに用いられる第８サブモジュールと、を含み、
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項２８に記載の基地局。
【請求項３１】
前記基地局は前記物理リソースにおいてアップリンクスケジューリング要求を受信し、前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであり、または、
前記基地局は前記物理リソースにおいてアップリンクスケジューリング要求を受信し、前記第１タイプの時間領域シンボルは、前記ターゲットアップリンク制御チャネルにおける全ての時間領域シンボルのうちの、前記物理リソースと重なる時間領域シンボル以外の時間領域シンボルであり、または、
前記基地局は、前記ターゲットアップリンク制御チャネルの所在する周波数領域リソース内の第２タイプの時間シンボルにおいて前記アップリンクスケジューリング要求を受信し、前記第２タイプの時間シンボルは前記物理リソースの占有する時間シンボルと同じであることを特徴とする請求項２８に記載の基地局。
【発明の詳細な説明】
【技術分野】
【０００１】
本願は無線通信技術に関し、特にアップリンク制御チャネルの伝送技術に関する。
【背景技術】
【０００２】
現在の５ＧのＮＲ（ｎｅｗ  ｒａｄｉｏ）システムでは、２つの時間長さの物理アップリンク制御チャネルＰＵＣＣＨ、すなわち、短いＰＵＣＣＨ（ｓｈｏｒｔ−ＰＵＣＣＨ）と長いＰＵＣＣＨ（ｌｏｎｇ−ＰＵＣＣＨ）がサポートされている。その内、短いＰＵＣＣＨは１個又は２個の時間領域シンボルを含み、長いＰＵＣＣＨは４〜１４個の時間領域シンボルを含む。アップリンクスケジューリング要求ＳＲを伝送するアップリンク制御チャネルのパラメータは通常、準静的に設定される（例えば、周期、オフセット、ＰＵＣＣＨリソースなど）。スケジューリング要求はｏｎ−ｏｆｆ伝送の仕組みを採用し、すなわち、端末がスケジューリング要求を有するとき、対応するリソースにおいてＰＵＣＣＨを伝送し、端末がスケジューリング要求を有しないときは、対応するリソースにおいては何の情報も送信しない。スケジューリング要求ＳＲの伝送について以下の結論がある。すなわち、１つのＳＲの伝送周期の最小値はＸ個のＯＦＤＭシンボルにイコールし（少なくとも短いＰＵＣＣＨで伝送するＳＲについて）、Ｘの値は現在１と仮定される。
【０００３】
ＳＲ周期が非常に短い場合、１つのタイムスロットｓｌｏｔ（１４個のシンボルを含む）には複数のＳＲ伝送リソースが含まれる。長いＰＵＣＣＨで伝送する他のアップリンク制御情報が同時に該ｓｌｏｔにおいて伝送されるとき、時間領域において複数のＳＲ伝送リソースが存在するため、基地局はスケジューリングによって他のアップリンク制御情報とＳＲとの衝突をうまく避けることができず、そうすると、以下の情況が発生する可能性がある。
【０００４】
１．他のアップリンク制御情報をＰＵＣＣＨで伝送する伝送時間の長さは、ＳＲを伝送する短いＰＵＣＣＨより大きい（図１に示すように）。
【０００５】
２．２つのチャネルは時間領域において部分的に重なる（図２に示すように）。
【０００６】
その時、もしＳＲ情報を他のアップリンク制御情報を伝送するチャネルに嵌め込んで伝送すると、ＳＲの伝送遅延を増やすこととなり、遅延に敏感なサービスの場合は許されない。従って、同時に複数のアップリンク制御チャネルを送信するのをサポートできない端末の場合、その時どのように動作すればよいかについては明確な案はまだない。
【発明の概要】
【発明が解決しようとする課題】
【０００７】
本願の目的はアップリンク制御チャネル伝送方法、及び端末と基地局を提供して、ＳＲ伝送遅延の増加で遅延に敏感なサービスの需要を満足できなくなるという課題を解決する。
【課題を解決するための手段】
【０００８】
上記の課題を解決するために、本願の開示するアップリンク制御チャネル伝送方法は、
端末がアップリンクスケジューリング要求を送信する周期及び物理リソースを決定することと、
該端末がターゲットアップリンク制御チャネルを使用して他のアップリンク制御情報を伝送することを決定することと、
該端末が該周期と該ターゲットアップリンク制御チャネルの伝送時間長さとの関係に基づいて、該アップリンクスケジューリング要求と該他のアップリンク制御情報との多重伝送の方式を決定することと、を含む。
【０００９】
１つの好ましい例では、該端末が該周期と該ターゲットアップリンク制御チャネルの伝送時間長さとの関係に基づいて、該アップリンクスケジューリング要求と該他のアップリンク制御情報との多重伝送の方式を決定することは、
該端末が、該周期と該ターゲットアップリンク制御チャネルの伝送時間長さとの間が第一約束関係を満たすと判定することと、
該端末が、該アップリンクスケジューリング要求と該他のアップリンク制御情報を該ターゲットアップリンク制御チャネルを通して多重伝送することを決定することと、を含む。
【００１０】
１つの好ましい例では、該端末が、該アップリンクスケジューリング要求と該他のアップリンク制御情報を該ターゲットアップリンク制御チャネルを通して多重伝送することを決定することは、
該アップリンクスケジューリング要求と該他のアップリンク制御情報を処理した後、該ターゲットアップリンク制御チャネルにマッピングして伝送し、該処理は、
カスケード、
合同符号化、
インタリーブ、
変調のうちの少なくとも１つを含むことを含む。
【００１１】
１つの好ましい例では、該第一約束関係は、
該ターゲットアップリンク制御チャネルの伝送時間長さが、Ｋとアップリンクスケジューリング要求の周期との積以下であり、Ｋ＞０であること、及び／又は、
該ターゲットアップリンク制御チャネルの周波数領域リソースのサイズが、該物理リソースに対応する周波数領域リソースのサイズより小さいことを含む。
【００１２】
１つの好ましい例では、該端末が該周期と該ターゲットアップリンク制御チャネルの伝送時間長さとの関係に基づいて、該アップリンクスケジューリング要求と該他のアップリンク制御情報との多重伝送の方式を決定することは、
該端末が、該周期と該ターゲットアップリンク制御チャネルの伝送時間長さとの間が第二約束関係を満たすと判定することと、
該端末が、該ターゲットアップリンク制御チャネルにおける第１タイプの時間シンボルを使用して該他のアップリンク制御情報を伝送することを決定することと、を含む。
【００１３】
１つの好ましい例では、該端末は該物理リソースにおいてアップリンクスケジューリング要求を伝送し、
該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルである。
【００１４】
１つの好ましい例では、該端末は該物理リソースにおいてアップリンクスケジューリング要求を伝送し、
該第１タイプの時間領域シンボルは、該ターゲットアップリンク制御チャネルにおける全ての時間領域シンボルのうちの、該物理リソースと重なる時間領域シンボル以外の時間領域シンボルである。
【００１５】
１つの好ましい例では、該端末は、該ターゲットアップリンク制御チャネルの所在する周波数領域リソース内の第２タイプの時間シンボルにおいて該アップリンクスケジューリング要求を伝送し、該第２タイプの時間シンボルは該物理リソースの占有する時間シンボルと同じである。
【００１６】
１つの好ましい例では、該第１タイプの時間領域シンボルは、該ターゲットアップリンク制御チャネルにおける全ての時間領域シンボルのうちの、該第２タイプの時間シンボル以外の時間領域シンボルである。
【００１７】
１つの好ましい例では、該第１タイプの時間領域シンボルは、該ターゲットアップリンク制御チャネルにおける全ての時間領域シンボルのうちの、該物理リソースと重なる時間領域シンボル以外の時間領域シンボルである。
【００１８】
１つの好ましい例では、該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【００１９】
１つの好ましい例では、該他のアップリンク制御情報は、該第１タイプの時間シンボルの数量に基づいて数量のマッチングをした後、該第１タイプの時間シンボルにマッピングして伝送し、または、
該他のアップリンク制御情報は、パンチ方式を通して該第１タイプの時間シンボルにマッピングして伝送する。
【００２０】
本願の更に開示するアップリンク制御チャネル伝送方法は、
基地局がアップリンクスケジューリング要求を受信する周期及び物理リソースを決定することと、
該基地局がターゲットアップリンク制御チャネルを使用して他のアップリンク制御情報を受信することを決定することと、
該基地局が該周期と該ターゲットアップリンク制御チャネルの伝送時間長さとの関係に基づいて、該アップリンクスケジューリング要求と該他のアップリンク制御情報との多重伝送の方式を決定することと、を含む。
【００２１】
１つの好ましい例では、該基地局が該周期と該ターゲットアップリンク制御チャネルの伝送時間長さとの関係に基づいて、該アップリンクスケジューリング要求と該他のアップリンク制御情報との多重伝送の方式を決定することは、
該基地局が、該周期と該ターゲットアップリンク制御チャネルの伝送時間長さとの間が第一約束関係を満たすと判定することと、
該基地局が、該アップリンクスケジューリング要求と該他のアップリンク制御情報を該ターゲットアップリンク制御チャネルを通して多重伝送することを決定することと、を含む。
【００２２】
１つの好ましい例では、該基地局が該アップリンクスケジューリング要求と該他のアップリンク制御情報を該ターゲットアップリンク制御チャネルを通して多重伝送することを決定することは、
該ターゲットアップリンク制御チャネルから受信した信号に対して処理を行い、該処理は、
カスケードの解除、合同復号、デインタリーブ、復調のうちの１つを含むことを含む。
【００２３】
１つの好ましい例では、該第一約束関係は、
該ターゲットアップリンク制御チャネルの伝送時間長さが、Ｋとアップリンクスケジューリング要求の周期との積以下であり、Ｋ＞０であること、及び／又は、
該ターゲットアップリンク制御チャネルの周波数領域リソースのサイズが、該物理リソースに対応する周波数領域リソースのサイズより小さいことを含む。
【００２４】
１つの好ましい例では、該基地局が該周期と該ターゲットアップリンク制御チャネルの伝送時間長さとの関係に基づいて、該アップリンクスケジューリング要求と該他のアップリンク制御情報との多重伝送の方式を決定することは、
該基地局が、該周期と該ターゲットアップリンク制御チャネルの伝送時間長さとの間が第二約束関係を満たすと判定することと、
該基地局が、該ターゲットアップリンク制御チャネルにおける第１タイプの時間シンボルを使用して該他のアップリンク制御情報を受信することを決定することと、を含む。
【００２５】
１つの好ましい例では、該基地局は該物理リソースにおいてアップリンクスケジューリング要求を受信し、
該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルである。
【００２６】
１つの好ましい例では、該基地局は該物理リソースにおいてアップリンクスケジューリング要求を受信し、
該第１タイプの時間領域シンボルは、該ターゲットアップリンク制御チャネルにおける全ての時間領域シンボルのうちの、該物理リソースと重なる時間領域シンボル以外の時間領域シンボルである。
【００２７】
１つの好ましい例では、該基地局は、該ターゲットアップリンク制御チャネルの所在する周波数領域リソース内の第２タイプの時間シンボルにおいて該アップリンクスケジューリング要求を受信し、該第２タイプの時間シンボルは該物理リソースの占有する時間シンボルと同じである。
【００２８】
１つの好ましい例では、該第１タイプの時間領域シンボルは、該ターゲットアップリンク制御チャネルにおける全ての時間領域シンボルのうちの、該第２タイプの時間シンボル以外の時間領域シンボルであり、または、
該第１タイプの時間領域シンボルは、該ターゲットアップリンク制御チャネルにおける全ての時間領域シンボルのうちの、該物理リソースと重なる時間領域シンボル以外の時間領域シンボルである。
【００２９】
１つの好ましい例では、該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【００３０】
１つの好ましい例では、該他のアップリンク制御情報は、第１タイプの時間シンボルの数量に基づいて数量のマッチングをした後、該第１タイプの時間シンボルにマッピングして伝送し、または、
該他のアップリンク制御情報は、パンチ方式を通して該第１タイプの時間シンボルにマッピングして伝送する。
【００３１】
本願は更に端末を開示し、該端末は、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
該周期と該ターゲットアップリンク制御チャネルの伝送時間長さとの関係に基づいて、該アップリンクスケジューリング要求と該他のアップリンク制御情報との多重伝送の方式を決定することに用いられる第３モジュールと、を含む。
【００３２】
１つの好ましい例では、該第３モジュールは、
該周期と該ターゲットアップリンク制御チャネルの伝送時間長さとの間が第一約束関係を満たすと判定することに用いられる第１サブモジュールと、
該アップリンクスケジューリング要求と該他のアップリンク制御情報を該ターゲットアップリンク制御チャネルを通して多重伝送することを決定することに用いられる第２サブモジュールと、を含み、
該第一約束関係は、
該ターゲットアップリンク制御チャネルの伝送時間長さが、Ｋとアップリンクスケジューリング要求の周期との積以下であり、Ｋ＞０であること、及び／又は、
該ターゲットアップリンク制御チャネルの周波数領域リソースのサイズが、該物理リソースに対応する周波数領域リソースのサイズより小さいことを含む。
【００３３】
１つの好ましい例では、該第３モジュールは、
該周期と該ターゲットアップリンク制御チャネルの伝送時間長さとの間が第二約束関係を満たすと判定することに用いられる第３サブモジュールと、
該ターゲットアップリンク制御チャネルにおける第１タイプの時間シンボルを使用して該他のアップリンク制御情報を伝送することを決定することに用いられる第４サブモジュールと、を含み、
該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【００３４】
１つの好ましい例では、該端末は該物理リソースにおいてアップリンクスケジューリング要求を伝送し、該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルであり、または、
該端末は該物理リソースにおいてアップリンクスケジューリング要求を伝送し、該第１タイプの時間領域シンボルは、該ターゲットアップリンク制御チャネルにおける全ての時間領域シンボルのうちの、該物理リソースと重なる時間領域シンボル以外の時間領域シンボルであり、または、
該端末は、該ターゲットアップリンク制御チャネルの所在する周波数領域リソース内の第２タイプの時間シンボルにおいて該アップリンクスケジューリング要求を伝送し、該第２タイプの時間シンボルは該物理リソースの占有する時間シンボルと同じである。
【００３５】
本願は更に基地局を開示し、該基地局は、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
該周期と該ターゲットアップリンク制御チャネルの伝送時間長さとの関係に基づいて、該アップリンクスケジューリング要求と該他のアップリンク制御情報との多重伝送の方式を決定することに用いられる第６モジュールと、を含む。
【００３６】
１つの好ましい例では、該第６モジュールは、
該周期と該ターゲットアップリンク制御チャネルの伝送時間長さとの間が第一約束関係を満たすと判定することに用いられる第５サブモジュールと、
該アップリンクスケジューリング要求と該他のアップリンク制御情報を該ターゲットアップリンク制御チャネルを通して多重伝送することを決定することに用いられる第６サブモジュールと、を含み、
該第一約束関係は、
該ターゲットアップリンク制御チャネルの伝送時間長さが、Ｋとアップリンクスケジューリング要求の周期との積以下であり、Ｋ＞０であること、及び／又は、
該ターゲットアップリンク制御チャネルの周波数領域リソースのサイズが、該物理リソースに対応する周波数領域リソースのサイズより小さいことを含む。
【００３７】
１つの好ましい例では、該第６モジュールは、
該周期と該ターゲットアップリンク制御チャネルの伝送時間長さとの間が第二約束関係を満たすと判定することに用いられる第７サブモジュールと、
該ターゲットアップリンク制御チャネルにおける第１タイプの時間シンボルを使用して該他のアップリンク制御情報を受信することを決定することに用いられる第８サブモジュールと、を含み、
該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【００３８】
１つの好ましい例では、該基地局は該物理リソースにおいてアップリンクスケジューリング要求を受信し、該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルであり、または、
該基地局は該物理リソースにおいてアップリンクスケジューリング要求を受信し、該第１タイプの時間領域シンボルは、該ターゲットアップリンク制御チャネルにおける全ての時間領域シンボルのうちの、該物理リソースと重なる時間領域シンボル以外の時間領域シンボルであり、または、
該基地局は、該ターゲットアップリンク制御チャネルの所在する周波数領域リソース内の第２タイプの時間シンボルにおいて該アップリンクスケジューリング要求を受信し、該第２タイプの時間シンボルは該物理リソースの占有する時間シンボルと同じである。
【００３９】
本願の実施形態は既存の技術と比べて、同時に複数のアップリンク制御チャネルを送信するのをサポートできない端末の場合、遅延に敏感なサービスにおいてのＳＲ伝送遅延を増やさない。
【００４０】
本願の明細書には多くの技術的特徴が記載され、それらの技術的特徴は各技術案に分布し、もし本願のすべての可能な技術的特徴の組み合わせ（すなわち技術案）を羅列すると、長すぎる明細書となる。それを避けるために、本願の上記の発明内容に開示される各技術的特徴、以下の各実施形態及び例において開示される各技術的特徴、及び図面に開示される各技術的特徴は、いずれも自由に互いに組み合わせでき、それによって様々な新しい技術案が構成されるが、そのような技術的特徴の組み合わせが技術において成り立たないものでない限り、それらの技術案はいずれも本明細書において既に記載されたものと見なされるべきである。例えば、１つの例で特徴Ａ＋Ｂ＋Ｃが開示され、また１つの例で特徴Ａ＋Ｂ＋Ｄ＋Ｅが開示され、特徴ＣとＤは同じ役割を果たす同等の技術手段であり、技術において二者択一的に使用すればよく、同時の採用はできなく、一方、特徴Ｅは技術において特徴Ｃと組み合わせできる、という場合は、Ａ＋Ｂ＋Ｃ＋Ｄの案は技術において成り立たないため、既に記載されたものと見なされるべきではないが、Ａ＋Ｂ＋Ｃ＋Ｅの案は既に記載されたものと見なされるべきである。
【図面の簡単な説明】
【００４１】
【図１】図１は既存技術においての、他のアップリンク制御情報をＰＵＣＣＨで伝送する伝送時間の長さがＳＲを伝送する短いＰＵＣＣＨより大きいことを示す図である。
【図２】図２は既存技術において、ＳＲ伝送チャネルと他のアップリンク制御情報伝送チャネルとが時間領域において部分的に重なることを示す図である。
【図３】図３は本発明の第１実施形態における１つのアップリンク制御チャネル伝送方法の端末側の模式的なフローチャットである。
【図４】図４は本発明の第２実施形態における１つのアップリンク制御チャネル伝送方法の基地局側の模式的なフローチャットである。
【図５】図５は本発明の１つの実施例におけるアップリンク制御チャネル伝送の使用する時間周波数リソースの模式図である（方法Ａ）。
【図６】図６は本発明の１つの実施例におけるアップリンク制御チャネル伝送の使用する時間周波数リソースの模式図である（方法Ｂ）。
【図７】図７は本発明の１つの実施例におけるアップリンク制御チャネル伝送の使用する時間周波数リソースの模式図である（方法Ｃ）。
【図８】図８は本発明の１つの実施例におけるアップリンク制御チャネル伝送の使用する時間周波数リソースの模式図である（方法Ｄ）。
【図９】図９は本発明の１つの実施例におけるＳＲ伝送方法の模式図である。
【発明を実施するための形態】
【００４２】
以下の説明では、読者によりよく本願を理解してもらうために、多くの技術詳細を記載している。しかし、当業者なら理解できるように、たとえそれらの技術詳細がなくても、及び、以下の各実施形態に基づく様々な変化及び修正を用いても、本願の保護を求める技術案を実現することが可能である。
【００４３】
本願における一部概念と略語について説明する。
５Ｇ：第５世代移動通信技術。
ＮＲ：５Ｇ（第５世代移動通信技術）の無線アクセス部分であり、Ｎｅｗ  Ｒａｄｉｏの略語である。
ＰＵＣＣＨ：物理アップリンク制御チャネルであり、Ｐｈｙｓｉｃａｌ  Ｕｐｌｉｎｋ  Ｃｏｎｔｒｏｌ  Ｃｈａｎｎｅｌの略語である。
ＳＲ：アップリンクスケジューリング要求であり、Ｓｃｈｅｄｕｌｉｎｇ  Ｒｅｑｕｅｓｔの略語である。
ＯＦＤＭ：直交周波数分割多重方式であり、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇの略語である。
Ｔ：アップリンクスケジューリング要求を送信する周期。
Ｐ：ターゲットアップリンク制御チャネルの伝送時間長さ。
【００４４】
本願の目的、技術案及びそのメリットをよりはっきりさせるために、以下は図面を参照しながら、本願の実施形態をより詳しく説明する。
【００４５】
本発明の第１実施形態はアップリンク制御チャネル伝送方法に係る。図３は該アップリンク制御チャネル伝送方法の模式的なフローチャットである。
【００４６】
ステップ３０１では、端末がアップリンクスケジューリング要求を送信する周期Ｔ及び物理リソースを決定する。
【００４７】
ステップ３０２では、端末がターゲットアップリンク制御チャネルを使用して他のアップリンク制御情報を伝送することを決定する。
【００４８】
ステップ３０３では、端末がＴとターゲットアップリンク制御チャネルの伝送時間長さＰとの関係に基づいて、ＳＲと他のアップリンク制御情報との多重伝送の方式を決定する。
【００４９】
上記の技術案によって、同時に複数のアップリンク制御チャネルを送信するのをサポートできない端末の場合、遅延に敏感なサービスにおいてのＳＲ伝送遅延を増やさない。
【００５０】
上記ステップ３０１とステップ３０２について、その実行の順番を互いに交換すること、またはそれらを並行に実行することができる。
【００５１】
選択肢として、ステップ３０３は更に以下のサブステップを含んでもよい。
【００５２】
すなわち、
端末がＴとＰとの間が第一約束関係を満たすと判定することと、
端末がＳＲと他のアップリンク制御情報をターゲットアップリンク制御チャネルを通して多重伝送することを決定することと、を含んでもよい。選択肢として、ＳＲと他のアップリンク制御情報を処理した後、ターゲットアップリンク制御チャネルにマッピングして伝送し、処理はカスケード、合同符号化、インタリーブ、変調などを含むが、それらには限らない。
【００５３】
前記第一約束関係は複数の実現方式を有する。選択肢として、第一約束関係は、ＰがＫ＊Ｔ以下であり、Ｋ＞０であること、及び／又は、ターゲットアップリンク制御チャネルの周波数領域リソースのサイズが、物理リソースに対応する周波数領域リソースのサイズより小さいことを含む。好ましくは、Ｋ＝１である。
【００５４】
選択肢として、ステップ３０３は更に以下のサブステップを含んでもよい。
【００５５】
すなわち、
端末がＴとＰとの間が第二約束関係を満たすと判定することと、
端末が、ターゲットアップリンク制御チャネルにおける第１タイプの時間シンボルを使用して他のアップリンク制御情報を伝送することを決定することと、を含んでもよい。
【００５６】
上記の第二約束関係が満たされる場合、ＳＲ及び他のアップリンク制御情報を伝送できる案は複数ある。例えば、下記のＡ〜Ｄ案がある。
【００５７】
Ａ案では、端末は物理リソースにおいてＳＲを伝送する。第１タイプの時間領域シンボルは、ターゲットアップリンク制御チャネルにおける全ての時間領域シンボルのうちの、実際にＳＲを伝送することに用いられる時間領域シンボル以外の時間領域シンボルである。
【００５８】
Ｂ案では、端末は物理リソースにおいてＳＲを伝送する。第１タイプの時間領域シンボルは、ターゲットアップリンク制御チャネルにおける全ての時間領域シンボルのうちの、物理リソースと重なる時間領域シンボル以外の時間領域シンボルである。
【００５９】
Ｃ案では、端末は、ターゲットアップリンク制御チャネルの所在する周波数領域リソース内の第２タイプの時間シンボルにおいてＳＲを伝送し、第１タイプの時間領域シンボルは、ターゲットアップリンク制御チャネルにおける全ての時間領域シンボルのうちの、該第２タイプの時間シンボル以外の時間領域シンボルである。
【００６０】
Ｄ案では、端末はターゲットアップリンク制御チャネルの所在する周波数領域リソース内の第２タイプの時間シンボルにおいてＳＲを伝送し、第１タイプの時間領域シンボルは、ターゲットアップリンク制御チャネルにおける全ての時間領域シンボルのうちの、物理リソースと重なる時間領域シンボル以外の時間領域シンボルである。
【００６１】
第二約束関係は複数の実現方式を有する。選択肢として、第二約束関係は、ＰがＳ＊Ｔより大きく、Ｓ＞０であること、及び／又は、ターゲットアップリンク制御チャネルの周波数領域リソースのサイズが、物理リソースに対応する周波数領域リソースのサイズ以上であることを含む。好ましくは、Ｓ＝１である。選択肢として、Ｓ＝Ｋである。
【００６２】
他のアップリンク制御情報の伝送方式は複数ある。選択肢として、他のアップリンク制御情報は、第１タイプの時間シンボルの数量に基づいて数量のマッチングをした後、第１タイプの時間シンボルにマッピングして伝送する。選択肢として、他のアップリンク制御情報は、パンチ方式を通して第１タイプの時間シンボルにマッピングして伝送する。
【００６３】
本発明の第２実施形態はアップリンク制御チャネル伝送方法に係る。第１実施形態は端末側の処理であるが、第２実施形態は第１実施形態に対応する基地局側の処理である。図４は該アップリンク制御チャネル伝送方法の模式的なフローチャットである。
【００６４】
ステップ４０１では、基地局がアップリンクスケジューリング要求の周期Ｔ及び物理リソースを決定する。
【００６５】
ステップ４０２では、基地局がターゲットアップリンク制御チャネルを使用して他のアップリンク制御情報を伝送することを決定する。
【００６６】
ステップ４０３では、基地局がＴとターゲットアップリンク制御チャネルの伝送時間長さＰとの関係に基づいて、ＳＲと他のアップリンク制御情報との多重伝送の方式を決定する。
【００６７】
上記の技術案によって、同時に複数のアップリンク制御チャネルを受信するのをサポートできない基地局の場合、遅延に敏感なサービスにおいてのＳＲ伝送遅延を増やさない。
【００６８】
上記ステップ４０１とステップ４０２について、その実行の順番を互いに交換すること、またはそれらを並行に実行することができる。
【００６９】
選択肢として、ステップ４０３は更に以下のサブステップを含んでもよい。
【００７０】
すなわち、
基地局がＴとＰとの間が第一約束関係を満たすと判定することと、
基地局がＳＲと他のアップリンク制御情報をターゲットアップリンク制御チャネルを通して多重伝送することを決定することと、を含んでもよい。選択肢として、基地局が該ターゲットアップリンク制御チャネルから受信した信号に対して処理を行い、処理はカスケードの解除、合同復号、デインタリーブ、復調などを含むが、それらには限らない。
【００７１】
前記第一約束関係は複数の実現方式を有し、選択肢として、第一約束関係は、ＰがＫ＊Ｔ以下であり、Ｋ＞０であること、及び／又は、ターゲットアップリンク制御チャネルの周波数領域リソースのサイズが、物理リソースに対応する周波数領域リソースのサイズより小さいことを含む。好ましくは、Ｋ＝１である。
【００７２】
選択肢として、ステップ４０３は更に以下のサブステップを含んでもよい。
【００７３】
すなわち、
基地局がＴとＰとの間が第二約束関係を満たすと判定することと、
基地局が、ターゲットアップリンク制御チャネルにおける第１タイプの時間シンボルを使用して他のアップリンク制御情報を受信することを決定することと、を含んでもよい。
【００７４】
上記の第二約束関係が満たされる場合、ＳＲ及び他のアップリンク制御情報を伝送できる案は複数ある。例えば、下記のＡ〜Ｄ案がある。
【００７５】
Ａ案では、基地局は物理リソースにおいてＳＲを受信する。第１タイプの時間領域シンボルは、ターゲットアップリンク制御チャネルにおける全ての時間領域シンボルのうちの、実際にＳＲを受信することに用いられる時間領域シンボル以外の時間領域シンボルである。
【００７６】
Ｂ案では、基地局は物理リソースにおいてＳＲを受信する。第１タイプの時間領域シンボルは、ターゲットアップリンク制御チャネルにおける全ての時間領域シンボルのうちの、物理リソースと重なる時間領域シンボル以外の時間領域シンボルである。
【００７７】
Ｃ案では、基地局は、ターゲットアップリンク制御チャネルの所在する周波数領域リソース内の第２タイプの時間シンボルにおいてＳＲを受信し、第１タイプの時間領域シンボルは、ターゲットアップリンク制御チャネルにおける全ての時間領域シンボルのうちの、第２タイプの時間シンボル以外の時間領域シンボルである。
【００７８】
Ｄ案では、基地局は、ターゲットアップリンク制御チャネルの所在する周波数領域リソース内の第２タイプの時間シンボルにおいてＳＲを受信し、第１タイプの時間領域シンボルは、ターゲットアップリンク制御チャネルにおける全ての時間領域シンボルのうちの、物理リソースと重なる時間領域シンボル以外の時間領域シンボルである。
【００７９】
第二約束関係は複数の実現方式を有する。選択肢として、第二約束関係は、ＰがＳ＊Ｔより大きく、Ｓ＞０であること、及び／又は、ターゲットアップリンク制御チャネルの周波数領域リソースのサイズが、物理リソースに対応する周波数領域リソースのサイズ以上であることを含む。好ましくは、Ｓ＝１である。選択肢として、Ｓ＝Ｋである。
【００８０】
本発明の第３実施形態は端末に係る。該端末は、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
周期とターゲットアップリンク制御チャネルの時間長さとの関係に基づいて、アップリンクスケジューリング要求と他のアップリンク制御情報との多重伝送の方式を決定することに用いられる第３モジュールと、を含む。
【００８１】
具体的には、
第３モジュールは、
周期とターゲットアップリンク制御チャネルの伝送時間長さとの間が第一約束関係を満たすと判定することに用いられる第１サブモジュールと、
アップリンクスケジューリング要求と他のアップリンク制御情報をターゲットアップリンク制御チャネルを通して多重伝送することを決定することに用いられる第２サブモジュールと、を含む。
【００８２】
第一約束関係は、
ターゲットアップリンク制御チャネルの伝送時間長さが、Ｋとアップリンクスケジューリング要求の周期との積以下であり、Ｋ＞０であること、及び／又は、
ターゲットアップリンク制御チャネルの周波数領域リソースのサイズが、物理リソースに対応する周波数領域リソースのサイズより小さいことを含む。
【００８３】
第３モジュールは、
周期とターゲットアップリンク制御チャネルの伝送時間長さとの間が第二約束関係を満たすと判定することに用いられる第３サブモジュールと、
ターゲットアップリンク制御チャネルにおける第１タイプの時間シンボルを使用して他のアップリンク制御情報を伝送することを決定することに用いられる第４サブモジュールと、を含む。
【００８４】
第二約束関係は、
ターゲットアップリンク制御チャネルの伝送時間長さが、Ｓとアップリンクスケジューリング要求の周期との積より大きく、Ｓ＞０であること、及び／又は、
ターゲットアップリンク制御チャネルの周波数領域リソースのサイズが、物理リソースに対応する周波数領域リソースのサイズ以上であることを含む。
【００８５】
端末は物理リソースにおいてアップリンクスケジューリング要求を伝送する。第１タイプの時間領域シンボルは、ターゲットアップリンク制御チャネルにおける全ての時間領域シンボルのうちの、実際にアップリンクスケジューリング要求を伝送することに用いられる時間領域シンボル以外の時間領域シンボルである。または、
端末は物理リソースにおいてアップリンクスケジューリング要求を伝送する。第１タイプの時間領域シンボルは、ターゲットアップリンク制御チャネルにおける全ての時間領域シンボルのうちの、物理リソースと重なる時間領域シンボル以外の時間領域シンボルである。または、
端末は、ターゲットアップリンク制御チャネルの所在する周波数領域リソース内の第２タイプの時間シンボルにおいてアップリンクスケジューリング要求を伝送し、第２タイプの時間シンボルは物理リソースの占有する時間シンボルと同じである。
【００８６】
第１実施形態は本実施形態に対応する方法実施形態であり、本実施形態は第１実施形態と互いに対応して実施できる。第１実施形態において説明した関係技術詳細は本実施形態においても有効であり、重複を避けるため、ここでは説明を省略する。それに対応して、本実施形態において説明した関係技術詳細も第１実施形態に適用できる。
【００８７】
本発明の第４実施形態は基地局に係る。該基地局は、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
周期とターゲットアップリンク制御チャネルの時間長さとの関係に基づいて、アップリンクスケジューリング要求と他のアップリンク制御情報との多重伝送の方式を決定することに用いられる第６モジュールと、を含む。
【００８８】
具体的には、
第６モジュールは、
周期とターゲットアップリンク制御チャネルの伝送時間長さとの間が第一約束関係を満たすと判定することに用いられる第５サブモジュールと、
アップリンクスケジューリング要求と他のアップリンク制御情報をターゲットアップリンク制御チャネルを通して多重伝送することを決定することに用いられる第６サブモジュールと、を含む。
【００８９】
第一約束関係は、
ターゲットアップリンク制御チャネルの伝送時間長さが、Ｋとアップリンクスケジューリング要求の周期との積以下であり、Ｋ＞０であること、及び／又は、
ターゲットアップリンク制御チャネルの周波数領域リソースのサイズが、物理リソースに対応する周波数領域リソースのサイズより小さいことを含む。
【００９０】
第６モジュールは、
周期とターゲットアップリンク制御チャネルの伝送時間長さとの間が第二約束関係を満たすと判定することに用いられる第７サブモジュールと、
ターゲットアップリンク制御チャネルにおける第１タイプの時間シンボルを使用して他のアップリンク制御情報を受信することを決定することに用いられる第８サブモジュールと、を含む。
【００９１】
第二約束関係は、
ターゲットアップリンク制御チャネルの伝送時間長さが、Ｓとアップリンクスケジューリング要求の周期との積より大きく、Ｓ＞０であること、及び／又は、
ターゲットアップリンク制御チャネルの周波数領域リソースのサイズが、物理リソースに対応する周波数領域リソースのサイズ以上であることを含む。
【００９２】
基地局は物理リソースにおいてアップリンクスケジューリング要求を受信し、第１タイプの時間領域シンボルは、ターゲットアップリンク制御チャネルにおける全ての時間領域シンボルのうちの、実際にアップリンクスケジューリング要求を伝送することに用いられる時間領域シンボル以外の時間領域シンボルである。または、
基地局は物理リソースにおいてアップリンクスケジューリング要求を受信し、第１タイプの時間領域シンボルは、ターゲットアップリンク制御チャネルにおける全ての時間領域シンボルのうちの、物理リソースと重なる時間領域シンボル以外の時間領域シンボルである。または、
基地局は、ターゲットアップリンク制御チャネルの所在する周波数領域リソース内の第２タイプの時間シンボルにおいてアップリンクスケジューリング要求を受信し、第２タイプの時間シンボルは物理リソースの占有する時間シンボルと同じである。
【００９３】
第２実施形態は本実施形態に対応する方法実施形態であり、本実施形態は第２実施形態と互いに対応して実施できる。第２実施形態において説明した関係技術詳細は本実施形態においても有効であり、重複を避けるため、ここでは説明を省略する。それに対応して、本実施形態において説明した関係技術詳細も第２実施形態に適用できる。
【００９４】
更に明確に本発明の技術案を説明するために、続いては１つの典型的な例を挙げる。
【００９５】
端末は、ＴとＰとが第一約束関係を満たすかどうかを判定する。
【００９６】
第一約束関係を満たす場合、端末はターゲットアップリンク制御チャネルにおいてＳＲと他のアップリンク制御情報を同時に伝送する。例えば、ＰはＫ＊Ｔ以下であり、Ｋ＞０であり、Ｋは定数であり、又はＫは基地局より設定され、好ましくは、Ｋ＝１である。好ましくは、ＳＲと他のアップリンク制御情報を合同符号化した後、ターゲットアップリンク制御チャネルにマッピングして伝送する。
【００９７】
第一約束関係を満たさない場合は、端末はターゲットアップリンク制御チャネルにおける第１タイプの時間領域シンボルを使用して他のアップリンク制御情報を伝送する。具体的には４つの方法で伝送できる。
【００９８】
方法Ａ
端末側の動作：端末はＳＲに対応する周波数領域リソースにおいてＳＲを送信し、第１タイプの時間領域シンボルは、図５に示すように、ターゲットアップリンク制御チャネルにおける全ての時間領域シンボルのうちの、実際にＳＲを伝送することに用いられる時間領域シンボル以外の時間領域シンボルである。
【００９９】
基地局側の動作：基地局はまずＳＲに対応するリソースにおいてＳＲがあるかどうかを検出する。ＳＲがある場合、対応する時間領域シンボルはターゲットアップリンク制御チャネルを受信しない。ＳＲが無い場合は、対応する時間領域シンボルにおいてターゲットアップリンク制御チャネルを受信する。
【０１００】
方法Ｂ
端末側の動作：端末はＳＲに対応する周波数領域リソースにおいてＳＲを送信し、第１タイプの時間領域シンボルは、図６に示すように、ターゲットアップリンク制御チャネルにおける全ての時間領域シンボルのうちの、ＳＲ時間領域リソース以外の時間領域シンボルである。
【０１０１】
基地局側の動作：基地局はＳＲに対応する時間領域シンボルにおいて前記第１アップリンク制御チャネルを受信しない。
【０１０２】
方法Ｃ
端末側の動作：端末はターゲットアップリンク制御チャネルの所在する周波数領域リソースにおいてＳＲを送信し、第１タイプの時間領域シンボルは、図７に示すように、ターゲットアップリンク制御チャネルにおける全ての時間領域シンボルのうちの、実際にＳＲを伝送する時間領域リソース以外の時間領域シンボルである。
【０１０３】
基地局側の動作：基地局はまずターゲットアップリンク制御チャネルの所在するリソースにおいてＳＲがあるかどうかを検出する。ＳＲがある場合、対応する時間領域シンボルはターゲットアップリンク制御チャネルを受信しない。ＳＲが無い場合は、対応する時間領域シンボルにおいてターゲットアップリンク制御チャネルを受信する。
【０１０４】
方法Ｄ
端末側の動作：端末はターゲットアップリンク制御チャネルの所在する周波数領域リソースにおいてＳＲを送信し、第１タイプの時間領域シンボルは、図８に示すように、ターゲットアップリンク制御チャネルにおける全ての時間領域シンボルのうちの、ＳＲ時間領域リソース以外の時間領域シンボルである。
【０１０５】
基地局側の動作：基地局はＳＲに対応する時間領域シンボルにおいて前記第１アップリンク制御チャネルを受信しない。
【０１０６】
１つの好ましい例では、端末は、ターゲットアップリンク制御チャネルの周波数領域リソースのサイズがＳＲに対応する周波数領域リソースのサイズ以上であるかどうかを判断する。もしそうである場合、方法Ｃまたは方法Ｄを使用し、そうでない場合は、方法Ａまたは方法Ｂを使用する。
【０１０７】
ＳＲの伝送方法は２つある。図９に示すように、１つはｏｎ−ｏｆｆ方式（方法Ａ、Ｂ、Ｃ、Ｄに適する）であり、また１つはシーケンス選択方式（方法Ｄのみに適する）である。
【０１０８】
ｏｎ−ｏｆｆ方式では、ＳＲがプラスであるとき、端末は約束のシーケンスを使用して伝送を行い、ＳＲがマイナスであるときは、端末は何の情報も伝送しない。対応する基地局側の動作：基地局はまずＳＲに対応するリソースにおいてＳＲがあるかどうかを検出し、ＳＲがある場合は、対応する時間領域シンボルは前記第１アップリンク制御チャネルを受信せず、ＳＲが無い場合は、対応する時間領域シンボルにおいて前記第１アップリンク制御チャネルを受信する。
【０１０９】
シーケンス選択方式（方法Ｄのみに適する）では、ＳＲがプラスであるとき、端末は第一約束シーケンスを伝送し、ＳＲがマイナスであるときは、端末は第二約束シーケンスを伝送する。対応する基地局側の動作：基地局はＳＲに対応する時間領域シンボルにおいて前記第１アップリンク制御チャネルを受信しない。
【０１１０】
本発明の各方法の実施形態はいずれもソフトウェア、ハードウェア、ファームウェアなどの方式で実現できる。本発明がソフトウェア、ハードウェア、ファームウェアのどちらの方式で実現されるにもかかわらず、その命令コードは如何なるタイプのコンピュータのアクセスできるメモリ（例えば、永久的または修正可能な、揮発性または不揮発性の、固体または非固体の、固定または交換可能な媒体など）にも記憶できる。同様に、メモリは例えば、プログラマブルアレイロジック（Ｐｒｏｇｒａｍｍａｂｌｅ  Ａｒｒａｙ  Ｌｏｇｉｃ、「ＰＡＬ」と略称）、ランダムアクセスメモリ（Ｒａｎｄｏｍ  Ａｃｃｅｓｓ  Ｍｅｍｏｒｙ、「ＲＡＭ」と略称）、プログラム可能読み出し専用メモリ（Ｐｒｏｇｒａｍｍａｂｌｅ  Ｒｅａｄ  Ｏｎｌｙ  Ｍｅｍｏｒｙ、「ＰＲＯＭ」と略称）、読み出し専用メモリ（Ｒｅａｄ−Ｏｎｌｙ  Ｍｅｍｏｒｙ、「ＲＯＭ」と略称）、電気的消去可能プログラム可能読み出し専用メモリ（Ｅｌｅｃｔｒｉｃａｌｌｙ  Ｅｒａｓａｂｌｅ  Ｐｒｏｇｒａｍｍａｂｌｅ  ＲＯＭ、「ＥＥＰＲＯＭ」と略称）、磁気ディスク、光ディスク、デジタル汎用ディスク（Ｄｉｇｉｔａｌ  Ｖｅｒｓａｔｉｌｅ  Ｄｉｓｃ、「ＤＶＤ」と略称）などであってよい。
【０１１１】
なお、本発明の各装置実施形態で言及した各ユニットはいずれも論理ユニットであり、物理的には、１つの論理ユニットは、１つの物理ユニットであってもよく、１つの物理ユニットの一部であってもよく、更に複数の物理ユニットの組み合わせで実現されてもよく、それらの論理ユニットそれ自体の物理的な実現方式は最重要ではなく、それらの論理ユニットの実現する機能の組み合わせが本発明の提出した技術課題を解決する鍵となる。なお、本発明の革新的な部分を突出させるために、本発明の上記の各装置実施形態では、本発明の提出した技術課題とあまり密接な関係でないユニットは取り入れていないが、上記の装置実施形態に他のユニットが存在しないということを表すのではない。
【０１１２】
なお、本願の出願書類にある、例えば「第１」、「第２」などの関係を表す用語は、ただ１つの実体または操作を別の１つの実体または操作から区別するためのものであり、必ずしもそれらの実体または操作の間に何かそのような実際の関係または順序が存在することを要求または暗示しない。そして、「含む」という用語及びその何かの変形は排他的でない包含を意味し、従って、一連の要素を含む過程、方法、物品または装置は、それらの要素だけでなく、明確に挙げられていない他の要素、もしくは、そのような過程、方法、物品または装置に固有の要素も更に含む。更なる制限がない限り、「１つ…含む」という記載に限定される要素について、前記要素を含む過程、方法、物品または装置において別の同じ要素も存在することがあり得る。本願の出願書類において、もしある要素に基づいてある動作を実行するという記載がある場合、それは、少なくとも該要素に基づいて該動作を実行するという意味であり、該要素のみに基づいて該動作を実行する、及び、該要素と他の要素に基づいて該動作を実行する、という２つの情況が含まれる。「複数」という記載は、２つ以上という意味を表す。
【０１１３】
本願に言及される全ての文献はいずれも本願において参考として引用されることとなり、それはつまり、各文献が単独に参考として引用されるのと同じである。理解されるべきように、本願の上記説明内容を読んだ後、当業者は本願に対して様々な変更及び修正ができ、それらの等価の形式もやはり本願の保護を求める範囲内に含まれる。
【図１】
2021510239.tif 000003
【図２】
2021510239.tif 000004
【図３】
2021510239.tif 000005
【図４】
2021510239.tif 000006
【図５】
2021510239.tif 000007
【図６】
2021510239.tif 000008
【図７】
2021510239.tif 000009
【図８】
2021510239.tif 000010
【図９】
2021510239.tif 000011
【手続補正書】
【提出日】令和2年10月22日(2020.10.22)
【手続補正１】
【補正対象書類名】明細書
【補正対象項目名】００１２
【補正方法】変更
【補正の内容】
【００１２】
１つの好ましい例では、該端末が該周期と該ターゲットアップリンク制御チャネルの伝送時間長さとの関係に基づいて、該アップリンクスケジューリング要求と該他のアップリンク制御情報との多重伝送の方式を決定することは、
該端末が、該周期と該ターゲットアップリンク制御チャネルの伝送時間長さとの間が第二約束関係を満たすと判定することと、
該端末が、該ターゲットアップリンク制御チャネルにおける第１タイプの時間領域シンボルを使用して該他のアップリンク制御情報を伝送することを決定することと、を含む。
【手続補正２】
【補正対象書類名】明細書
【補正対象項目名】００１５
【補正方法】変更
【補正の内容】
【００１５】
１つの好ましい例では、該端末は、該ターゲットアップリンク制御チャネルの所在する周波数領域リソース内の第２タイプの時間領域シンボルにおいて該アップリンクスケジューリング要求を伝送し、該第２タイプの時間領域シンボルは該物理リソースの占有する時間領域シンボルと同じである。
【手続補正３】
【補正対象書類名】明細書
【補正対象項目名】００１６
【補正方法】変更
【補正の内容】
【００１６】
１つの好ましい例では、該第１タイプの時間領域シンボルは、該ターゲットアップリンク制御チャネルにおける全ての時間領域シンボルのうちの、該第２タイプの時間領域シンボル以外の時間領域シンボルである。
【手続補正４】
【補正対象書類名】明細書
【補正対象項目名】００１９
【補正方法】変更
【補正の内容】
【００１９】
１つの好ましい例では、該他のアップリンク制御情報は、該第１タイプの時間領域シンボルの数量に基づいて数量のマッチングをした後、該第１タイプの時間領域シンボルにマッピングして伝送し、または、
該他のアップリンク制御情報は、パンチ方式を通して該第１タイプの時間領域シンボルにマッピングして伝送する。
【手続補正５】
【補正対象書類名】明細書
【補正対象項目名】００２４
【補正方法】変更
【補正の内容】
【００２４】
１つの好ましい例では、該基地局が該周期と該ターゲットアップリンク制御チャネルの伝送時間長さとの関係に基づいて、該アップリンクスケジューリング要求と該他のアップリンク制御情報との多重伝送の方式を決定することは、
該基地局が、該周期と該ターゲットアップリンク制御チャネルの伝送時間長さとの間が第二約束関係を満たすと判定することと、
該基地局が、該ターゲットアップリンク制御チャネルにおける第１タイプの時間領域シンボルを使用して該他のアップリンク制御情報を受信することを決定することと、を含む。
【手続補正６】
【補正対象書類名】明細書
【補正対象項目名】００２７
【補正方法】変更
【補正の内容】
【００２７】
１つの好ましい例では、該基地局は、該ターゲットアップリンク制御チャネルの所在する周波数領域リソース内の第２タイプの時間領域シンボルにおいて該アップリンクスケジューリング要求を受信し、該第２タイプの時間領域シンボルは該物理リソースの占有する時間領域シンボルと同じである。
【手続補正７】
【補正対象書類名】明細書
【補正対象項目名】００２８
【補正方法】変更
【補正の内容】
【００２８】
１つの好ましい例では、該第１タイプの時間領域シンボルは、該ターゲットアップリンク制御チャネルにおける全ての時間領域シンボルのうちの、該第２タイプの時間領域シンボル以外の時間領域シンボルであり、または、
該第１タイプの時間領域シンボルは、該ターゲットアップリンク制御チャネルにおける全ての時間領域シンボルのうちの、該物理リソースと重なる時間領域シンボル以外の時間領域シンボルである。
【手続補正８】
【補正対象書類名】明細書
【補正対象項目名】００３０
【補正方法】変更
【補正の内容】
【００３０】
１つの好ましい例では、該他のアップリンク制御情報は、第１タイプの時間領域シンボルの数量に基づいて数量のマッチングをした後、該第１タイプの時間領域シンボルにマッピングして伝送し、または、
該他のアップリンク制御情報は、パンチ方式を通して該第１タイプの時間領域シンボルにマッピングして伝送する。
【手続補正９】
【補正対象書類名】明細書
【補正対象項目名】００３３
【補正方法】変更
【補正の内容】
【００３３】
１つの好ましい例では、該第３モジュールは、
該周期と該ターゲットアップリンク制御チャネルの伝送時間長さとの間が第二約束関係を満たすと判定することに用いられる第３サブモジュールと、
該ターゲットアップリンク制御チャネルにおける第１タイプの時間領域シンボルを使用して該他のアップリンク制御情報を伝送することを決定することに用いられる第４サブモジュールと、を含み、
該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【手続補正１０】
【補正対象書類名】明細書
【補正対象項目名】００３４
【補正方法】変更
【補正の内容】
【００３４】
１つの好ましい例では、該端末は該物理リソースにおいてアップリンクスケジューリング要求を伝送し、該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルであり、または、
該端末は該物理リソースにおいてアップリンクスケジューリング要求を伝送し、該第１タイプの時間領域シンボルは、該ターゲットアップリンク制御チャネルにおける全ての時間領域シンボルのうちの、該物理リソースと重なる時間領域シンボル以外の時間領域シンボルであり、または、
該端末は、該ターゲットアップリンク制御チャネルの所在する周波数領域リソース内の第２タイプの時間領域シンボルにおいて該アップリンクスケジューリング要求を伝送し、該第２タイプの時間領域シンボルは該物理リソースの占有する時間領域シンボルと同じである。
【手続補正１１】
【補正対象書類名】明細書
【補正対象項目名】００３７
【補正方法】変更
【補正の内容】
【００３７】
１つの好ましい例では、該第６モジュールは、
該周期と該ターゲットアップリンク制御チャネルの伝送時間長さとの間が第二約束関係を満たすと判定することに用いられる第７サブモジュールと、
該ターゲットアップリンク制御チャネルにおける第１タイプの時間領域シンボルを使用して該他のアップリンク制御情報を受信することを決定することに用いられる第８サブモジュールと、を含み、
該第二約束関係は、
該ターゲットアップリンク制御チャネルの伝送時間長さが、Ｓとアップリンクスケジューリング要求の周期との積より大きく、Ｓ＞０であること、及び／又は、
該ターゲットアップリンク制御チャネルの周波数領域リソースのサイズが、該物理リソースに対応する周波数領域リソースのサイズ以上であることを含む。
【手続補正１２】
【補正対象書類名】明細書
【補正対象項目名】００３８
【補正方法】変更
【補正の内容】
【００３８】
１つの好ましい例では、該基地局は該物理リソースにおいてアップリンクスケジューリング要求を受信し、該第１タイプの時間領域シンボルは、該ターゲットアップリンク制御チャネルにおける全ての時間領域シンボルのうちの、実際にアップリンクスケジューリング要求を伝送することに用いられる時間領域シンボル以外の時間領域シンボルであり、または、
該基地局は該物理リソースにおいてアップリンクスケジューリング要求を受信し、該第１タイプの時間領域シンボルは、該ターゲットアップリンク制御チャネルにおける全ての時間領域シンボルのうちの、該物理リソースと重なる時間領域シンボル以外の時間領域シンボルであり、または、
該基地局は、該ターゲットアップリンク制御チャネルの所在する周波数領域リソース内の第２タイプの時間領域シンボルにおいて該アップリンクスケジューリング要求を受信し、該第２タイプの時間領域シンボルは該物理リソースの占有する時間領域シンボルと同じである。
【手続補正１３】
【補正対象書類名】明細書
【補正対象項目名】００５５
【補正方法】変更
【補正の内容】
【００５５】
すなわち、
端末がＴとＰとの間が第二約束関係を満たすと判定することと、
端末が、ターゲットアップリンク制御チャネルにおける第１タイプの時間領域シンボルを使用して他のアップリンク制御情報を伝送することを決定することと、を含んでもよい。
【手続補正１４】
【補正対象書類名】明細書
【補正対象項目名】００５９
【補正方法】変更
【補正の内容】
【００５９】
Ｃ案では、端末は、ターゲットアップリンク制御チャネルの所在する周波数領域リソース内の第２タイプの時間領域シンボルにおいてＳＲを伝送し、第１タイプの時間領域シンボルは、ターゲットアップリンク制御チャネルにおける全ての時間領域シンボルのうちの、該第２タイプの時間領域シンボル以外の時間領域シンボルである。
【手続補正１５】
【補正対象書類名】明細書
【補正対象項目名】００６０
【補正方法】変更
【補正の内容】
【００６０】
Ｄ案では、端末はターゲットアップリンク制御チャネルの所在する周波数領域リソース内の第２タイプの時間領域シンボルにおいてＳＲを伝送し、第１タイプの時間領域シンボルは、ターゲットアップリンク制御チャネルにおける全ての時間領域シンボルのうちの、物理リソースと重なる時間領域シンボル以外の時間領域シンボルである。
【手続補正１６】
【補正対象書類名】明細書
【補正対象項目名】００６２
【補正方法】変更
【補正の内容】
【００６２】
他のアップリンク制御情報の伝送方式は複数ある。選択肢として、他のアップリンク制御情報は、第１タイプの時間領域シンボルの数量に基づいて数量のマッチングをした後、第１タイプの時間領域シンボルにマッピングして伝送する。選択肢として、他のアップリンク制御情報は、パンチ方式を通して第１タイプの時間領域シンボルにマッピングして伝送する。
【手続補正１７】
【補正対象書類名】明細書
【補正対象項目名】００６４
【補正方法】変更
【補正の内容】
【００６４】
ステップ４０１では、基地局がアップリンクスケジューリング要求を受信する周期Ｔ及び物理リソースを決定する。
【手続補正１８】
【補正対象書類名】明細書
【補正対象項目名】００６５
【補正方法】変更
【補正の内容】
【００６５】
ステップ４０２では、基地局がターゲットアップリンク制御チャネルを使用して他のアップリンク制御情報を受信することを決定する。
【手続補正１９】
【補正対象書類名】明細書
【補正対象項目名】００７３
【補正方法】変更
【補正の内容】
【００７３】
すなわち、
基地局がＴとＰとの間が第二約束関係を満たすと判定することと、
基地局が、ターゲットアップリンク制御チャネルにおける第１タイプの時間領域シンボルを使用して他のアップリンク制御情報を受信することを決定することと、を含んでもよい。
【手続補正２０】
【補正対象書類名】明細書
【補正対象項目名】００７４
【補正方法】変更
【補正の内容】
【００７４】
上記の第二約束関係が満たされる場合、ＳＲ及び他のアップリンク制御情報を受信できる案は複数ある。例えば、下記のＡ〜Ｄ案がある。
【手続補正２１】
【補正対象書類名】明細書
【補正対象項目名】００７７
【補正方法】変更
【補正の内容】
【００７７】
Ｃ案では、基地局は、ターゲットアップリンク制御チャネルの所在する周波数領域リソース内の第２タイプの時間領域シンボルにおいてＳＲを受信し、第１タイプの時間領域シンボルは、ターゲットアップリンク制御チャネルにおける全ての時間領域シンボルのうちの、第２タイプの時間領域シンボル以外の時間領域シンボルである。
【手続補正２２】
【補正対象書類名】明細書
【補正対象項目名】００７８
【補正方法】変更
【補正の内容】
【００７８】
Ｄ案では、基地局は、ターゲットアップリンク制御チャネルの所在する周波数領域リソース内の第２タイプの時間領域シンボルにおいてＳＲを受信し、第１タイプの時間領域シンボルは、ターゲットアップリンク制御チャネルにおける全ての時間領域シンボルのうちの、物理リソースと重なる時間領域シンボル以外の時間領域シンボルである。
【手続補正２３】
【補正対象書類名】明細書
【補正対象項目名】００８０
【補正方法】変更
【補正の内容】
【００８０】
本発明の第３実施形態は端末に係る。該端末は、
アップリンクスケジューリング要求を送信する周期及び物理リソースを決定することに用いられる第１モジュールと、
ターゲットアップリンク制御チャネルを使用して他のアップリンク制御情報を伝送することを決定することに用いられる第２モジュールと、
周期とターゲットアップリンク制御チャネルの伝送時間長さとの関係に基づいて、アップリンクスケジューリング要求と他のアップリンク制御情報との多重伝送の方式を決定することに用いられる第３モジュールと、を含む。
【手続補正２４】
【補正対象書類名】明細書
【補正対象項目名】００８３
【補正方法】変更
【補正の内容】
【００８３】
第３モジュールは、
周期とターゲットアップリンク制御チャネルの伝送時間長さとの間が第二約束関係を満たすと判定することに用いられる第３サブモジュールと、
ターゲットアップリンク制御チャネルにおける第１タイプの時間領域シンボルを使用して他のアップリンク制御情報を伝送することを決定することに用いられる第４サブモジュールと、を含む。
【手続補正２５】
【補正対象書類名】明細書
【補正対象項目名】００８５
【補正方法】変更
【補正の内容】
【００８５】
端末は物理リソースにおいてアップリンクスケジューリング要求を伝送する。第１タイプの時間領域シンボルは、ターゲットアップリンク制御チャネルにおける全ての時間領域シンボルのうちの、実際にアップリンクスケジューリング要求を伝送することに用いられる時間領域シンボル以外の時間領域シンボルである。または、
端末は物理リソースにおいてアップリンクスケジューリング要求を伝送する。第１タイプの時間領域シンボルは、ターゲットアップリンク制御チャネルにおける全ての時間領域シンボルのうちの、物理リソースと重なる時間領域シンボル以外の時間領域シンボルである。または、
端末は、ターゲットアップリンク制御チャネルの所在する周波数領域リソース内の第２タイプの時間領域シンボルにおいてアップリンクスケジューリング要求を伝送し、第２タイプの時間領域シンボルは物理リソースの占有する時間領域シンボルと同じである。
【手続補正２６】
【補正対象書類名】明細書
【補正対象項目名】００８７
【補正方法】変更
【補正の内容】
【００８７】
本発明の第４実施形態は基地局に係る。該基地局は、
アップリンクスケジューリング要求を受信する周期及び物理リソースを決定することに用いられる第４モジュールと、
ターゲットアップリンク制御チャネルを使用して他のアップリンク制御情報を受信することを決定することに用いられる第５モジュールと、
周期とターゲットアップリンク制御チャネルの伝送時間長さとの関係に基づいて、アップリンクスケジューリング要求と他のアップリンク制御情報との多重伝送の方式を決定することに用いられる第６モジュールと、を含む。
【手続補正２７】
【補正対象書類名】明細書
【補正対象項目名】００９０
【補正方法】変更
【補正の内容】
【００９０】
第６モジュールは、
周期とターゲットアップリンク制御チャネルの伝送時間長さとの間が第二約束関係を満たすと判定することに用いられる第７サブモジュールと、
ターゲットアップリンク制御チャネルにおける第１タイプの時間領域シンボルを使用して他のアップリンク制御情報を受信することを決定することに用いられる第８サブモジュールと、を含む。
【手続補正２８】
【補正対象書類名】明細書
【補正対象項目名】００９２
【補正方法】変更
【補正の内容】
【００９２】
基地局は物理リソースにおいてアップリンクスケジューリング要求を受信し、第１タイプの時間領域シンボルは、ターゲットアップリンク制御チャネルにおける全ての時間領域シンボルのうちの、実際にアップリンクスケジューリング要求を伝送することに用いられる時間領域シンボル以外の時間領域シンボルである。または、
基地局は物理リソースにおいてアップリンクスケジューリング要求を受信し、第１タイプの時間領域シンボルは、ターゲットアップリンク制御チャネルにおける全ての時間領域シンボルのうちの、物理リソースと重なる時間領域シンボル以外の時間領域シンボルである。または、
基地局は、ターゲットアップリンク制御チャネルの所在する周波数領域リソース内の第２タイプの時間領域シンボルにおいてアップリンクスケジューリング要求を受信し、第２タイプの時間領域シンボルは物理リソースの占有する時間領域シンボルと同じである。
【手続補正２９】
【補正対象書類名】明細書
【補正対象項目名】０１０１
【補正方法】変更
【補正の内容】
【０１０１】
基地局側の動作：基地局はＳＲに対応する時間領域シンボルにおいて前記ターゲットアップリンク制御チャネルを受信しない。
【手続補正３０】
【補正対象書類名】明細書
【補正対象項目名】０１０５
【補正方法】変更
【補正の内容】
【０１０５】
基地局側の動作：基地局はＳＲに対応する時間領域シンボルにおいて前記ターゲットアップリンク制御チャネルを受信しない。
【手続補正３１】
【補正対象書類名】明細書
【補正対象項目名】０１０８
【補正方法】変更
【補正の内容】
【０１０８】
ｏｎ−ｏｆｆ方式では、ＳＲがプラスであるとき、端末は約束のシーケンスを使用して伝送を行い、ＳＲがマイナスであるときは、端末は何の情報も伝送しない。対応する基地局側の動作：基地局はまずＳＲに対応するリソースにおいてＳＲがあるかどうかを検出し、ＳＲがある場合は、対応する時間領域シンボルは前記ターゲットアップリンク制御チャネルを受信せず、ＳＲが無い場合は、対応する時間領域シンボルにおいて前記ターゲットアップリンク制御チャネルを受信する。
【手続補正３２】
【補正対象書類名】明細書
【補正対象項目名】０１０９
【補正方法】変更
【補正の内容】
【０１０９】
シーケンス選択方式（方法Ｄのみに適する）では、ＳＲがプラスであるとき、端末は第一約束シーケンスを伝送し、ＳＲがマイナスであるときは、端末は第二約束シーケンスを伝送する。対応する基地局側の動作：基地局はＳＲに対応する時間領域シンボルにおいて前記ターゲットアップリンク制御チャネルを受信しない。
【手続補正３３】
【補正対象書類名】特許請求の範囲
【補正対象項目名】全文
【補正方法】変更
【補正の内容】
【特許請求の範囲】
【請求項１】
アップリンク制御チャネル伝送方法であって、
端末がアップリンクスケジューリング要求を送信する周期及び物理リソースを決定することと、
前記端末がターゲットアップリンク制御チャネルを使用して他のアップリンク制御情報を伝送することを決定することと、
前記端末が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項２】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第一約束関係を満たすと判定することと、
前記端末が、前記アップリンクスケジューリング要求と前記他のアップリンク制御情報を前記ターゲットアップリンク制御チャネルを通して多重伝送することを決定することと、を含むことを特徴とする請求項１に記載のアップリンク制御チャネル伝送方法。
【請求項３】
前記端末が、前記アップリンクスケジューリング要求と前記他のアップリンク制御情報を前記ターゲットアップリンク制御チャネルを通して多重伝送することを決定することは、
前記アップリンクスケジューリング要求と前記他のアップリンク制御情報を処理した後、前記ターゲットアップリンク制御チャネルにマッピングして伝送し、前記処理は、
カスケード、
合同符号化、
インタリーブ、
変調のうちの少なくとも１つを含むことを含むことを特徴とする請求項２に記載のアップリンク制御チャネル伝送方法。
【請求項４】
前記第一約束関係は、
前記ターゲットアップリンク制御チャネルの伝送時間長さが、Ｋとアップリンクスケジューリング要求の周期との積以下であり、Ｋ＞０であること、及び／又は、
前記ターゲットアップリンク制御チャネルの周波数領域リソースのサイズが、前記物理リソースに対応する周波数領域リソースのサイズより小さいことを含むことを特徴とする請求項２に記載のアップリンク制御チャネル伝送方法。
【請求項５】
前記端末が前記周期と前記ターゲットアップリンク制御チャネルの伝送時間長さとの関係に基づいて、前記アップリンクスケジューリング要求と前記他のアップリンク制御情報との多重伝送の方式を決定することは、
前記端末が、前記周期と前記ターゲットアップリンク制御チャネルの伝送時間長さとの間が第二約束関係を満たすと判定することと、
前記端末が、前記ターゲットアップリンク制御チャネルにおける第１タイプの時間領域シンボルを使用して前記他のアップリンク制御情報を伝送することを決定することと、を含むことを特徴とする請求項１〜４のいずれか１項に記載のアップリンク制御チャネル伝送方法。
【請求項６】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、実際にアップリンクスケジューリング要求を伝送することに用いられる時間領域シンボル以外の時間領域シンボルであることを特徴とする請求項５に記載のアップリンク制御チャネル伝送方法。
【請求項７】
前記端末は前記物理リソースにおいてアップリンクスケジューリング要求を伝送し、
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項５に記載のアップリンク制御チャネル伝送方法。
【請求項８】
前記端末は、前記ターゲットアップリンク制御チャネルの所在する周波数領域リソース内の第２タイプの時間領域シンボルにおいて前記アップリンクスケジューリング要求を伝送し、前記第２タイプの時間領域シンボルは前記物理リソースの占有する時間領域シンボルと同じであることを特徴とする請求項５に記載のアップリンク制御チャネル伝送方法。
【請求項９】
前記第１タイプの時間領域シンボルは、前記ターゲットアップリンク制御チャネルにおける全ての時間領域シンボルのうちの、前記第２タイプの時間領域シンボル以外の時間領域シンボルであることを特徴とする請求項８に記載のアップリンク制御チャネル伝送方法。
【請求項１０】
前記第１タイプの時間領域シンボルは、前記ターゲットアップリンク制御チャネルにおける全ての時間領域シンボルのうちの、前記物理リソースと重なる時間領域シンボル以外の時間領域シンボルであることを特徴とする請求項８に記載のアップリンク制御チャネル伝送方法。
【請求項１１】
前記第二約束関係は、
前記ターゲットアップリンク制御チャネルの伝送時間長さが、Ｓとアップリンクスケジューリング要求の周期との積より大きく、Ｓ＞０であること、及び／又は、
前記ターゲットアップリンク制御チャネルの周波数領域リソースのサイズが、前記物理リソースに対応する周波数領域リソースのサイズ以上であることを含むことを特徴とする請求項５に記載のアップリンク制御チャネル伝送方法。
【請求項１２】
前記他のアップリンク制御情報は、前記第１タイプの時間領域シンボルの数量に基づいて数量のマッチングをした後、前記第１タイプの時間領域シンボルにマッピングして伝送し、または、
前記他のアップリンク制御情報は、パンチ方式を通して前記第１タイプの時間領域シンボルにマッピングして伝送することを特徴とする請求項５に記載のアップリンク制御チャネル伝送方法。
【請求項１３】
アップリンク制御チャネル伝送方法であって、
基地局がアップリンクスケジューリング要求を受信する周期及び物理リソースを決定することと、
前記基地局がターゲットアップリンク制御チャネルを使用して他のアップリンク制御情報を受信することを決定することと、
前記基地局が前記周期と前記ターゲットアップリンク制御チャネルの伝送時間長さとの関係に基づいて、前記アップリンクスケジューリング要求と前記他のアップリンク制御情報との多重伝送の方式を決定することと、を含むことを特徴とするアップリンク制御チャネル伝送方法。
【請求項１４】
端末であって、請求項１〜１２のいずれか１項に記載の方法を実行するように構成される端末。
【請求項１５】
基地局であって、請求項１３に記載の方法を実行するように構成される基地局。
【手続補正３４】
【補正対象書類名】図面
【補正対象項目名】図４
【補正方法】変更
【補正の内容】
【図４】
2021510239.tif 000012
【手続補正３５】
【補正対象書類名】図面
【補正対象項目名】図５
【補正方法】変更
【補正の内容】
【図５】
2021510239.tif 000013
【手続補正３６】
【補正対象書類名】図面
【補正対象項目名】図６
【補正方法】変更
【補正の内容】
【図６】
2021510239.tif 000014
【手続補正３７】
【補正対象書類名】図面
【補正対象項目名】図７
【補正方法】変更
【補正の内容】
【図７】
2021510239.tif 000015
【手続補正３８】
【補正対象書類名】図面
【補正対象項目名】図８
【補正方法】変更
【補正の内容】
【図８】
2021510239.tif 000016
【手続補正３９】
【補正対象書類名】図面
【補正対象項目名】図９
【補正方法】変更
【補正の内容】
【図９】
2021510239.tif 000017
【国際調査報告】
2021510239.tif 000018
2021510239.tif 000019
2021510239.tif 000020
2021510239.tif 000021